(57)【要約】【課題】炎天下に曝されている植栽部の温度上昇を少なくする。【解決手段】植栽形成対象の下地Ｒ上に、植栽用培地部３を備えた多数の植栽トレーＡを、前記下地Ｒ面に沿って敷き並べた状態に設置してある植栽設置構造において、前記各植栽トレーＡと、前記下地Ｒとの間に、横方向に連通する第一通気空間Ｋ２を形成し、前記植栽トレーＡの表面側空間と前記第一通気空間Ｋ２とを連通させる第二通気空間Ｋ１を設けてある。【選択図】　　　　図２
2004024045.tif 000002
【特許請求の範囲】
【請求項１】
植栽形成対象の下地上に、植栽用培地部を備えた多数の植栽トレーを、前記下地面に沿って敷き並べた状態に設置してある植栽設置構造であって、
前記各植栽トレーと、前記下地との間に、横方向に連通する第一通気空間を形成し、前記植栽トレーの表面側空間と前記第一通気空間とを連通させる第二通気空間を設けてある植栽設置構造。
【請求項２】
前記第二通気空間は、隣接する前記植栽トレー間に形成してある請求項１に記載の植栽設置構造。
【請求項３】
前記第一通気空間における外部との開口部は、横方向に開口した横開口として形成してあり、前記第二通気空間における外部との開口部は、縦方向に開口した縦開口として形成してある請求項１又は２に記載の植栽設置構造。
【請求項４】
前記植栽トレー内の水を排水自在な排水孔を、前記植栽トレーに設けてあり、前記排水孔は、前記第一通気空間に面して設けてある請求項１〜３の何れか一項に記載の植栽設置構造。
【請求項５】
前記植栽トレーは、脚部によって前記下地面上に離間させてあり、その離間空間が前記第一通気空間である請求項１〜４の何れか一項に記載の植栽設置構造。
【請求項６】
前記植栽トレーは、矩形形状で、四隅に面取り部を形成してあり、隣接配置した各植栽トレーどうしの面取り部間の縦空間が前記第二通気空間である請求項１〜５の何れか一項に記載の植栽設置構造。
【発明の詳細な説明】
【０００１】
【発明の属する技術分野】
本発明は、植栽形成対象の下地（例えば、屋上や屋根やバルコニー等）上に、植栽用培地部を備えた多数の植栽トレーを、前記下地面に沿って敷き並べた状態に設置してある植栽設置構造に関する。
【０００２】
【従来の技術】
屋上緑化においては、緑化作業性やメンテナンス性等の点で優れた植栽設置方式として、下地上に直に土を盛り上げることに替えて、例えば、図２３に示すように、弁当箱形状のトレー本体３０ａの内空部に、土を入れて植栽物２を植え付けた植栽トレー３０を多数用意し、それら植栽トレー３０を、予め屋上Ｒに固定した下地板ｒ１の上に並べ、下地板ｒ１に形成された固定用膨出部ｒ２にネジ固定する方式が近年実施されつつある（例えば、特開２００１−５４３２１号公報参照）。
この種の植栽設置構造としては、限られた範囲により多くの植栽物を生育させるために、図２３に示すように、隣接する前記植栽トレー３０どうしを、できるだけ詰めて密接させ、より多くの植栽トレー３０を並べて植栽部表面に隙間ができないようにしてあった。また、下地板ｒ１と植栽トレー３０との間には、トレー本体３０ａに形成された排水孔３０ｂから流出した水を屋上勾配に沿って流すための排水溝空間３１が形成してあった。
【０００３】
【発明が解決しようとする課題】
上述した従来の植栽設置構造によれば、各植栽トレーは、平面的に隙間なく配置して植栽を構成してあるから、表面に露出した植栽部分は連続して美観性に富んでいるものの、その反面、炎天下に曝された状況が続くと、太陽熱を受けて植栽部そのものの温度上昇をまねき易い。特に、前記下地板と植栽トレーとの間の排水溝空間は、植栽トレーの熱を下地側に伝わり難くする断熱層の役目を果たすことにもなり、植栽トレーの温度上昇をより促進する結果となっている。
太陽熱による温度上昇に関して同様の例としては、アスファルト舗装の道路で見られるように、舗装材に太陽熱がどんどん吸収され、遂にはアスファルトが軟化してしまうと言った現象が挙げられる。
このように、炎天下に曝される部分では、温度上昇は避け難く、当該植栽設置構造による植栽部も、大気温度に比べて相当に高い温度になり易い。特に、植栽トレーの厚みが小さい所謂「薄層緑化」においてはこれらの傾向が著しい。その結果、植栽部に植え付けられている植栽物も、当然の事ながらこのような温度上昇の影響を受けることとなり、発育不全を起こしたり、最悪の場合は枯れてしまうこともあり得る。
【０００４】
従って、本発明の目的は、上記問題点を解消し、炎天下に曝されても温度上昇が少ない植栽設置構造を提供するところにある。
【０００５】
【課題を解決するための手段】
請求項１の発明の特徴構成は、植栽形成対象の下地上に、植栽用培地部を備えた多数の植栽トレーを、前記下地面に沿って敷き並べた状態に設置してある植栽設置構造において、前記各植栽トレーと、前記下地との間に、横方向に連通する第一通気空間を形成し、前記植栽トレーの表面側空間と前記第一通気空間とを連通させる第二通気空間を設けてあるところにある。
【０００６】
請求項１の発明の特徴構成によれば、各植栽トレーと下地との間に、横方向に連通する第一通気空間を形成し、前記植栽トレーの表面側空間と前記第一通気空間とを連通させる第二通気空間を設けてあるから、前記第二通気空間によって、植栽トレーの表面側空間と植栽トレー裏面の連通空間である前記第一通気空間とが連通する状態に構成され、前記第一通気空間に表面側空間の新鮮空気が流通できるようになる。従って、太陽熱を植栽トレーが受けても、植栽トレーの表裏面の空間では常に新鮮空気が植栽トレーに接触して熱交換することができ、従来に比べて植栽トレーの温度上昇を低く保つことが可能となる。
その結果、日射がきついときでも、植栽トレーの温度上昇を比較的低く抑制でき、植え付けてある植栽物への悪影響を少なくすることが可能となる。
【０００７】
請求項２の発明の特徴構成は、前記第二通気空間は、隣接する前記植栽トレー間に形成してあるところにある。
【０００８】
請求項２の発明の特徴構成によれば、請求項１の発明による作用効果を叶えることができるのに加えて、前記第二通気空間は、前記第一通気空間より高い位置に設けられた縦空間となるから、日射を受けることで第一通気空間内の温度が上昇するに伴って、比重が小さくなった空気は自然に上昇して前記第二通気空間から植栽部表面側空間へと流出すると共に、それに見合った新鮮空気が第二通気空間から第一通気空間に入り込むと言う自然対流が生じ易く、植栽トレー周りの排熱効果を期待することが可能となる。また、上述のように自然対流を利用できるから、特別に空気の循環装置を用いなくても空気の流通を図ることが可能となる。
その結果、安価にして温度上昇しにくい植栽物に優しい植栽を形成することが可能となる。
【０００９】
請求項３の発明の特徴構成は、前記第一通気空間における外部との開口部は、横方向に開口した横開口として形成してあり、前記第二通気空間における外部との開口部は、縦方向に開口した縦開口として形成してあるところにある。
【００１０】
請求項３の発明の特徴構成によれば、第一通気空間と第二通気空間とのそれぞれの外部との開口部の開口方向を異ならせてあるから、例えば、吹き下ろしの風が吹けば、縦向きの縦開口から風が第二通気空間内に入り、第一通気空間を経て横開口から外部に出るし、横向きの風が吹けば、横向きの横開口から風が第一通気空間内に入り、第二通気空間を経て縦開口から外部に出るといった具合に、換気の促進を図ることが可能となる。風の入口と出口の方向を変えてあることによって、色々な方向から吹く風に対して、常により抵抗少ない状態で前記第一・第二通気空間の空気を通過させることができ、より換気効果を向上させることが可能となる。
更には、台風等の強風が吹く場合にも、上述のように前記第一・第二通気空間は風の抵抗になり難いから、強風をそのまま逃がし、風の揚力を抑制することが可能となり、吹き上げ等の被害を最小限に止めることが可能となる。
【００１１】
請求項４の発明の特徴構成は、前記植栽トレー内の水を排水自在な排水孔を、前記植栽トレーに設けてあり、前記排水孔は、前記第一通気空間に面して設けてあるところにある。
【００１２】
請求項４の発明の特徴構成によれば、請求項１〜３の何れかの発明による作用効果を叶えることができるのに加えて、前記排水孔が、植栽トレー内の土粒子間隙と前記第一通気空間とを連通させる架け橋となり、土粒子内への新鮮空気の流通を図ることが可能となる。
従って、植栽トレー内の土の通気性を向上させ、植え付けてある植栽物の根腐り防止効果や発育促進効果を発揮することが可能となる。
【００１３】
請求項５の発明の特徴構成は、前記植栽トレーは、脚部によって前記下地面上に離間させてあり、その離間空間が前記第一通気空間であるところにある。
【００１４】
請求項５の発明の特徴構成によれば、請求項１〜４の何れかの発明による作用効果を叶えることができるのに加えて、植栽トレーの裏面側の前記第一通気空間をより広い範囲にわたって確保し易くなり、上述の各効果を、より好ましい状態で実現することが可能となる。
【００１５】
請求項６の発明の特徴構成は、前記植栽トレーは、矩形形状で、四隅に面取り部を形成してあり、隣接配置した各植栽トレーどうしの面取り部間の縦空間が前記第二通気空間であるところにある。
【００１６】
請求項６の発明の特徴構成によれば、請求項１〜５の何れかの発明による作用効果を叶えることができるのに加えて、植栽トレーそのものが取り扱い易い形となり、植栽形成作業の効率を向上させることができると共に、各植栽トレーを縦横に整列する状態に設置するだけで、隣接する植栽トレーどうしの面取り部間には前記縦空間が形成され、わざわざ前記第二通気空間を形成することを意識しなくても簡単に形成することが可能となる。また、植栽トレーの面取り部分は、前記第二通気空間を形成する上で、目立ち難い部位であるから、植栽部全体としての美観性を低下させにくい効果もある。
【００１７】
【発明の実施の形態】
以下に本発明の実施の形態を図面に基づいて説明する。尚、図面において従来例と同一の符号で表示した部分は、同一又は相当の部分を示している。
【００１８】
図１は、当該発明の植栽設置構造の一実施形態を採用して植栽を形成してある建物Ｂを示すものである。
本実施形態の建物Ｂは、鉄筋コンクリート造で、その屋上（下地に相当）Ｒは、陸屋根として構成してある。
そして屋上Ｒには、植栽ゾーンＳを設けて屋上緑化を図ってある。
【００１９】
屋上Ｒの説明をすると、図１、図２に示すように、屋上スラブＲ１上に防水層Ｒ２を設けて構成してある。
前記防水層Ｒ２は、例えば、シート防水等によって施工された防水層で、前記屋上スラブＲ１と一体的に設けられている。
【００２０】
そして、前記植栽ゾーンＳは、防水層Ｒ２上に、植栽物（例えば、草や木、及び、乾燥状態や貧栄養状態でも生育するセダム類等）２を生育させる植栽部（植栽用培地部に相当）３を備えた複数の植栽トレー（以後、単にトレーと言う）Ａを縦横に並設して構成してある。
前記植栽部３は、前記植栽物２の植付層となる土によって構成してある。土は、火山砂利やセラミックス系のもの等を使用すれば、乾燥・貧栄養条件を維持しやすく、雑草の侵入を抑制した状態で前記セダム類の生育環境を最適化することが可能となる。
【００２１】
前記トレーＡは、合成樹脂の射出成形によって製造してあり、図３〜６に示すように、前記植栽部３を形成するトレー本体部４を設け、前記トレー本体部４の下面側に、前記屋上Ｒ上に接地自在な複数の脚部５を設け、隣接する前記脚部５の接地部５ａにわたって、前記屋上Ｒ上に接地自在な梁部６を設けて構成してある。これら、トレー本体部４、脚部５、梁部６は、一体に形成されている。
【００２２】
前記トレー本体部４は、平面視での形状が略正方形で、正方形の四隅には、面取り部４ｃが形成してある。そして、前記植栽部３を支持する状態の底面部４ａと、この底面部４ａの外周から壁状に立設された側面部４ｂとを備えて構成してある。従って、前記底面部４ａ、側面部４ｂとで前記土が保持されて、植栽部３が構成されている。
【００２３】
前記底面部４ａには、前記植栽部３からの水をトレー下方に排出する排水孔ｈを形成してある。この排水孔ｈは、図に示すように、平面視で長四角形状で、底面部４ａの平面視での縦横格子状に配置されている。縦横格子状の縦横交点部分は、前述の脚部５が設けてあり、排水孔ｈは、隣接する脚部５間に形成してある。そして、この排水孔ｈの外周縁部は、底面部４ａの平面部分より少し高くなるように堰７が形成してあり、底面部４ａの平面部分上に適度な水分を保持して、植栽部３が乾燥するのを防止できるようにしてある（図７参照）。
また、底面部４ａには、植栽部３の土が、前記排水孔ｈを通して下方へ流出するのを防止するためのフィルタシート８を取り付けてある。このフィルタシート８は、例えば、合成樹脂繊維等から形成された不織布や織布等で構成してあり、前記底面部４ａの大きさとほぼ同じ寸法に形成してある。複数個所を、固定ピン９で前記底面部４ａに固定してある。具体的には、前記底面部４ａの複数個所に固定穴１０が形成してあり、前記フィルタシート８を底面部４ａ上に載置した状態で、前記固定ピン９を、フィルタシート８の上から前記固定穴１０に嵌入することで、フィルタシート８の被固定部を前記固定穴１０と固定ピン９とで挟む状態に固定されている。
当然の事ながら、前記フィルタシート８は、前記土が流出しない程度の網目寸法に形成してある。尚、植物の生育に伴って多少の根がらみ効果も期待できる。
【００２４】
前記側面部４ｂは、前述の通り、四隅が面取り形状の底面部４ａの外周縁部を壁状に立ち上げた形状に構成されており、例えば、図８に示すように、複数のトレー本体部４を屋上Ｒの表面に沿って並設することによって、四つのトレー本体部４の各面取り部分が、隣接状態に位置するように配置することができ、これらの各面取り部に囲まれた縦空間（第二通気空間に相当）Ｋ１は、トレー本体部４の上方空間と、裏面空間（第一通気空間に相当）Ｋ２とを連通させることができ、トレー本体部４の裏面空間Ｋ２の換気作用を促進することが可能となる。
一方、側面部４ｂの内周面には、例えば、図３に示すように、前記植栽部３を仕切る場合に用いる仕切り板１１を取付自在な嵌合溝１２を、内周面での対向する位置にそれぞれ設けてある。これらの嵌合溝１２に仕切り板１１の両端部を嵌合させることで、前記植栽部３を仕切ることができ、例えば、種類の異なる植物を生育させる場合や、傾斜した屋上Ｒ上に当該トレーＡを設置するに際して土の偏りを防止するような場合に有効である。
また、側面部の外周面には、当該トレーＡと隣接させた別のトレーＡとを連結する連結ピン１３を取り付けるための連結ピン取付部１４を形成してある。一方、トレー本体部４の四隅の側面部（面取り部分）には、後述の押さえ部材１６を係止させる被固定部１８を形成してある。
【００２５】
前記連結ピン１３は、合成樹脂の一体成形品であり、図９、図１０に示すように、断面形状が逆「Ｕ」字形のピン本体１３Ａと、ピン本体１３Ａの頂部に形成された操作部１３Ｂとを設けて構成してある。
前記ピン本体１３Ａの両下端部は、内側へ屈曲させて形成してあり、この部分が、前記トレー本体部４への係止部Ｇとなる。そして、ピン本体１３Ａは、弾性を備えているから、外力を受けると弾性的に撓んで、両係止部Ｇが、相対的に近接したり離間したりできるように形成してある。
また、前記操作部１３Ｂについても、前記ピン本体１３Ａと同様に弾性を備えさせてある。そして、形状は、ピン本体１３Ａに類似した形状に形成してあるから、前記連結ピン取付部１４への連結ピン１３の着脱時に指で摘みやすい。また、前記操作部１３Ｂは、前記トレー本体部４に取り付けた状態で両端部が側面部４ｂに当接するように寸法設定してあり、前記係止部Ｇを上方から覆うことで、前記係止部Ｇ、及び、ピン本体１３Ａに直射日光が当たるのを防止し、紫外線劣化が生じ難いように構成してある。前記操作部１３Ｂによって日射隠蔽部Ｎが構成されている。
【００２６】
この連結ピン取付部１４は、前記側面部４ｂの平面視での中央部と両端部とにそれぞれ形成してあり、図９、図１０に示すように、外面に縦方向に形成された溝状部１４Ａと、溝状部１４Ａの下端部で溝縁部間にわたって設けられた被係止部１４Ｂとを設けて構成してある。
そして、それぞれの連結ピン取付部１４が対向する状態に二つのトレーＡを配置し、前記連結ピン１３の係止部Ｇが、対向する溝状部１４Ａ内に進入するようにピン本体１３Ａを上方から挿入すると、係止部Ｇが前記被係止部１４Ｂを乗り越える際にその被係止部１４Ｂが内側へ弾性変形し、乗り越えた後の弾性復元力で係止部Ｇが、被係止部１４Ｂの下方へ回り込み、抜け止め状態に係合させることができる。以上の手順で、隣接するトレーＡ間に対向する他の連結ピン取付部１４に対して連結ピン１３を取り付けることで、両トレーＡは、安定した状態に連結される。但し、両トレーＡに外力が作用した場合、弾性変形が可能な範囲内で、両係止部Ｇは近接したり離間することが可能である。
【００２７】
因みに、当該トレーＡの屋上Ｒへの固定は、図１１、図１２に示すように、予め屋上Ｒに取り付けられた固定具本体１５に対して、前記押さえ部材１６を用いてトレーＡの前記被固定部１８を押さえ固定することで実施される。
【００２８】
前記固定具本体１５は、ベース部分１５ａと、本体部分１５ｂと、係止ナット部材１５ｃとを備えて構成してある。
前記ベース部分１５ａは、円板で構成してあり、前記本体部分１５ｂは、前記円板の中央部分に一体的に且つ立設状態に設けられた樹脂ボルトによって構成してある。そして、係止ナット部材１５ｃは、本体部分１５ｂに螺合自在に形成してある。また、前記ベース部分１５ａは、その下面を前記防水層Ｒ２に固定されている。
【００２９】
前記押さえ部材１６は、前記固定具本体１５の本体部分１５ｂに外嵌自在な縦筒部１６Ａを中央に備え、縦筒部１６Ａの下端外周部から斜め上方への放射状に取り付けられた四つの押さえ部１６Ｂを設けて構成してある。押さえ部１６Ｂの先端部は、下方へ屈曲させてあり、前記被固定部１８に挿入することで嵌合し、押さえ部材１６をトレーＡに係止させることができる。また、前記押さえ部１６Ｂの形状を、上述の通り縦筒部１６Ａから斜め上方に傾斜姿勢に形成してあることで、固定具本体１５と押さえ部材１６とで固定してある各トレーどうしが横方向に相対移動するような場合にその移動を押さえ部１６Ｂの弾性変形で許容することが可能となる（図２２参照）。従って、例えば、炎天下の日射熱を受けてトレーＡが膨張するような場合でも、その熱膨張によるトレーＡの若干の移動は許容したまま固定状態を維持することが可能となる。
【００３０】
以上のように、トレー本体部４間の前記縦空間Ｋ１に位置する状態に固定された固定具本体１５に、前記縦筒部１６Ａを挿通させて、トレー本体部４の被固定部１８に前記押さえ部１６Ｂが挿入係止する状態に押さえ部材１６を配置し、前記縦筒部１６Ａから上に突出した固定具本体１５の本体部分１５ｂに係止ナット部材１５ｃを螺合させながらその螺合位置を下方に移動させ、押さえ部材１６の縦筒部１６Ａ周囲部分を抜け止め状態に規制することでトレー本体部４を固定することが可能となる。
【００３１】
前記脚部５は、図６に示すように、四角柱で構成してあり、前記トレー本体部４の底面部４ａ裏面に、平面視で縦横格子状の縦横交差部分に基端部が固定されている。そして、脚部５の下端部が、前記屋上Ｒに直に触れる接地部５ａとして構成されている。
また、前記梁部６は、前記各脚部５の下端部間に一体的に設けられ、屋上Ｒ上に接地するように構成されている。従って、トレーＡからの重量は、前記脚部５、及び、前記梁部６とで構成される格子状部１７の接地面１７ａすべての範囲に分散された状態で、前記屋上Ｒに伝達される。従って、防水層Ｒ２の局部に大きな荷重が集中するのを防止することができ、防水層に優しい植栽作りを実現することができる。
一方、各梁部６の直上に位置するトレー本体部４の底面部分には、前述のように、排水孔ｈが位置しており、前記植栽部３の土粒子間隙４ａと、トレー本体部４と屋上Ｒとの間に形成される裏面空間Ｋ２とは、前記排水孔ｈを通して連通しているから、前記植栽部３の土の通気を図ることが可能となる。
因みに、前記裏面空間Ｋ２は、各トレーＡの面取り部間に形成された縦空間Ｋ１とも連通しているから、前記縦空間Ｋ１を通して裏面空間Ｋ２の換気を図ることが可能となる。
また、当該トレーは、先にも説明したが、合成樹脂の射出成形によって形成してあるわけであるが、前記排水孔ｈは、上側金型の抜け空間となる。
【００３２】
本実施形態の植栽設置構造によれば、前記縦空間Ｋ１を裏面空間Ｋ２と連通させてあることによって、トレーＡの表裏面の空間では常に新鮮空気がトレーＡに接触して熱交換すると共に入れ替わり、日射がきついときでも、トレーＡ及び植栽部３の温度上昇を比較的低く抑制でき、植え付けてある植栽物２への悪影響を少なくすることが可能となる。また、空気の入れ替わりは自然対流を利用できるから、特別に空気循環装置を用いなくても空気の流通を図ることが可能となり、安価にして温度上昇しにくい植栽物２に優しい植栽を形成することが可能となる。
また、前記排水孔ｈを通して植栽部３の土粒子間隙の通気を図ることが可能となるから、植え付けてある植栽物の根腐り防止効果や発育促進効果をも発揮することが可能となる。そして、前記縦空間Ｋ１は形成してあるものの、トレーの面取り部４ｃに配置されていることで目立ち難く、植栽部全体としての美観性を低下させにくい効果もある。
【００３３】
〔別実施形態〕
以下に他の実施の形態を説明する。
【００３４】
〈１〉　下地の構造は、先の実施形態で説明した鉄筋コンクリート造に限るものではなく、例えば、鉄骨造や、鉄骨鉄筋コンクリート造、又は、木造、及び、それらの複合構造等、公知の建築構造を採用することが可能である。
また、屋上スラブＲ１と防水層Ｒ２との間に、断熱性能の高い多孔質合成樹脂パネル等を使用した断熱下地Ｒ３を採用してあってもよい。
また、前記植栽形成対象は、先の実施形態で説明した陸屋根の屋上に限るものではなく、例えば、ベランダやバルコニー、傾斜屋根等で構成してあるものであってもよい。
〈２〉　前記植栽用培地部３は、先の実施形態で説明した土のみを充填して構成するものに限らず、例えば、土の中に植栽物の発育に伴って根がらみ出来るようなネットを配置しておけば、植栽物が発育するに伴って根がらみ効果が発揮されるようになり、植栽用培地部の一体性が向上して風で土や植栽物がとばされてしまうことを防止し易くなる。このような効果は、前記ネットを、トレー本体に固定しておけば、より確実なものとなる。また、植栽用培地部３の別の実施形態としては、合成樹脂の繊維材をマット状に絡ませて隙間に土を充填した植栽マットを使用した構成であっても良い。それらを総称して、植栽用培地部と言う。
〈３〉　下地への固定形式は、先の実施形態で説明した固定具本体１５と押さえ部材１６とを使用するものに限らず、他の公知の手段を採用することも可能である。また、トレーどうしの連結具についても同様に、先の実施形態で説明した固定ピン９を使用するものに限らず、他の公知の手段を採用することも可能である。
〈４〉　植栽用培地部に生育させる植栽物は、先の実施形態で説明したようにセダム類の植物に限るものではなく、他の草木であってもよい。
〈５〉　前記トレーＡの形状は、先の実施形態で説明したように隅部を面取りした矩形形状に限るものではなく、四角形以外の多角形や円形等の形状を基本形状とするものであっても良い。
〈６〉　前記第一通気空間Ｋ２は、先の実施形態で説明したようにトレー本体部４の底面部４ａが脚部５によって下地Ｒから全体に離間した状態で底面部４ａと下地Ｒとの間に形成される裏面空間であることに限らず、例えば、トレーＡの下面を、図１３に示すように、下方に膨出する形状に構成してある場合には、その膨出部２０は、トレー本体部４の底面部４ａでありながら脚部５をも兼ねることとなり、各膨出部２０間に形成される空間が、前記第一通気空間Ｋ２となる。
〈７〉　前記第二通気空間Ｋ１は、先の実施形態で説明した各トレーＡの四隅面取り部４ｃに形成される縦空間に限るものではなく、例えば、図１４に示すように、各トレーＡの辺部を切り欠いて構成するものであったり、図１５に示すように、隣接するトレーＡどうしを離間した状態に設置できるスペーサ手段１９を設けて、隣接するトレーＡ間に、確実に第二通気空間Ｋ１となる隙間ができるようにしてあっても良い。また、並設した多数のトレーＡの内、例えば、図１６に示すように、局部のトレーＡを設けない配列とすることで、その空いたトレー空間を前記第二通気空間Ｋ１として構成するものであっても良い。
また、図１７に示すように、縦空間をトレーＡより上方まで立ち上げる筒部材２１を設置する構成を採用すれば、その筒部材２１による煙突効果により、前記第一通気空間Ｋ２に対する換気効果をより促進することが可能となる。更には、その筒部材２１は、図に示すように、複数個所に設けて隣接するものどうしを連結棒状部材２２で連結すると、手摺りとして利用することができ、植栽ゾーンＳのメンテナンス時等に歩行の助けとなる。
また、図２１に示すように、トレーＡの底面部４ａに、第二通気空間Ｋ１を形成する筒部材２１を設けてあってもよい。また、この実施形態によれば、前記筒部材２１に着脱自在な穴あき蓋部材２１ａを設けてある。この穴あき蓋部材２１ａは、高さ寸法の異なるものを用意してあり、植栽物の丈に応じて上方が塞がらない高さのものを取り付けることで、第二通気空間Ｋ１の開口部を確保して、トレーＡ裏面側の換気を図ることができるように構成してある。尚、第二通気空間Ｋ１の開口上端部が植物より上方に位置する箇所と、植物の陰になる箇所とを設けておけば、相互の空気抵抗が異なることで、空気の流入用・流出用とに使い分けできる効果がある。
一方、トレーＡ上を歩行する場合には、図１８〜２０に示すような、踏み面部材２３をトレーＡに取り付けてあると、植栽部３を直に踏まずに踏み面部材２３上を歩行することができ、植栽物への悪影響を防止することができる。
この踏み面部材２３は、前記トレーＡと同様に合成樹脂によって形成してあり、複数のトレーＡにわたって前記縦空間Ｋ１上に被さる状態に設けられている。
具体的には、図１８、図２０に示すように、トレーＡへの係止用突起２４が裏面側に設けてある。この係止用突起２４は、前記トレーＡの前記被固定部１８の両側に形成された縦溝形状の踏み面部材固定部２５に挿入することで係合状態に取り付けることができるように構成してある。前記踏み面部材２３の係止用突起２４の数は、この実施形態においては、前記縦空間Ｋ１で対向する二つのトレーＡに各別に係合するように二つ設けられているが、この数は、縦空間Ｋ１に位置するトレーＡのすべてに相当するものであってもよいし、一つだけであってもよい。係止用突起２４を一つ設ける場合には、踏み面部材２３は一つのトレーＡにのみ位置が拘束されるだけであるから、各トレーＡどうしの相対移動が発生してもその動きを許容することができる。
また、踏み面部材２３は、図に示すように、上下に貫通する貫通孔２６を多数設けてあり、踏み面部材２３の上面に水滴等が溜まり難くすると共に、歩行時の摩擦を確保し、滑り防止効果を発揮できるように構成されている。この貫通孔２６は、前記裏面空間Ｋ２、縦空間Ｋ１を通した空気の流れを阻害し難いから裏面換気の役割も担っている。
更には、貫通孔２６の孔の長さは、図２０に示すように、上方からの日射が、貫通孔２６を通過することで下方空間全面に到達するのを防止し、紫外線遮蔽効果を発揮できるように設定してある。当該実施形態においては、踏み面部材２３の厚みを増加することで、貫通孔２６の径に対して充分大きな孔長を確保してあると共に、踏み荷重を支持できる強度を確保できるように構成してある。従って、踏み面部材２３を、例えば金属等の高強度材料で構成する場合には、そのものの厚み寸法は薄くできるが、前記貫通孔２６に関しては、長さを確保するために筒形状とすることも可能である。
このように、踏み面部材２３は、トレー裏面空間の換気促進による植栽物の生育環境の良好化を阻害することなく、植栽ゾーンＳ上を歩行しても植栽物２を傷めない効果、及び、トレー固定部分に対する紫外線劣化防止の効果を叶えることが可能である。
【００３５】
尚、上述のように、図面との対照を便利にするために符号を記したが、該記入により本発明は添付図面の構成に限定されるものではない。
【図面の簡単な説明】
【図１】植栽設置状況を示す要部の斜視図
【図２】植栽設置状況を示す側面視の要部断面図（図１のＸ−Ｘ断面図）
【図３】植栽トレーを斜め上方から見た斜視図
【図４】植栽トレーの側面図
【図５】植栽トレーの上面図
【図６】植栽トレーの斜め下方から見た斜視図
【図７】植栽トレーの側面視による要部断面図
【図８】植栽トレーの設置状況を示す要部上面図
【図９】連結ピンの設置状況を示す植栽トレー要部斜視図
【図１０】連結ピンの設置状況を示す植栽トレー要部断面図
【図１１】固定具本体による植栽トレー固定状況を示す要部断面図
【図１２】固定具本体を示す分解斜視図
【図１３】別実施形態の植栽トレーを示す側面視断面図
【図１４】別実施形態の植栽トレー設置状況を示す斜視図
【図１５】別実施形態の植栽トレー設置状況を示す斜視図
【図１６】別実施形態の植栽トレー設置状況を示す斜視図
【図１７】別実施形態の植栽トレー設置状況を示す斜視図
【図１８】別実施形態の植栽トレーを示す要部斜視図
【図１９】別実施形態の植栽トレーを示す要部斜視図
【図２０】踏み面部材を示す一部切欠き側面図
【図２１】別実施形態の植栽トレーを示す斜視図
【図２２】固定具本体の弾性変形状況を示す要部断面図
【図２３】従来の植栽設置構造を示す側面視断面図
【符号の説明】
３　　　植栽用培地部
４ｃ　　面取り部
５　　　脚部
Ａ　　　植栽トレー
ｈ　　　排水孔
Ｋ１　　第二通気空間
Ｋ２　　第一通気空間
Ｒ　　　下地
【図１】
2004024045.tif 000003
【図２】
2004024045.tif 000004
【図３】
2004024045.tif 000005
【図４】
2004024045.tif 000006
【図５】
2004024045.tif 000007
【図６】
2004024045.tif 000008
【図７】
2004024045.tif 000009
【図８】
2004024045.tif 000010
【図９】
2004024045.tif 000011
【図１０】
2004024045.tif 000012
【図１１】
2004024045.tif 000013
【図１２】
2004024045.tif 000014
【図１３】
2004024045.tif 000015
【図１４】
2004024045.tif 000016
【図１５】
2004024045.tif 000017
【図１６】
2004024045.tif 000018
【図１７】
2004024045.tif 000019
【図１８】
2004024045.tif 000020
【図１９】
2004024045.tif 000021
【図２０】
2004024045.tif 000022
【図２１】
2004024045.tif 000023
【図２２】
2004024045.tif 000024
【図２３】
2004024045.tif 000025